(57)【特許請求の範囲】
【請求項１】
検体が保持された検体容器を収容した検体ラックを搬送する搬送ラインと、
前記搬送ラインに沿って配置され、検体分注待ちの前記検体ラックを複数待機させることができる第１分注ラインと、
前記第１分注ライン上で検体吸引を行い、試薬と検体との反応時間が予め決定されている生化学分析項目を分析する生化学分析部と、
前記搬送ラインに沿って配置され、検体分注待ちの前記検体ラックを複数待機させることができる第２分注ラインと、
前記第２分注ライン上で検体吸引を行い、試薬と検体との反応時間が検体により異なる凝固時間項目を分析する凝固時間分析部と、
検体に対する分析依頼情報を読み取る読取部と、
前記読取部の情報から前記検体ラックの搬送経路を決定し、前記搬送ラインを制御する制御部と、を備え、
血液凝固検査項目における、合成基質項目、ラテックス凝集項目、及び凝固時間項目のうち、試薬と検体との反応時間が項目ごとに予め決定している合成基質項目又はラテックス凝集項目を第１検査項目とし、試薬と検体との反応時間が検体により異なる凝固時間項目を第２検査項目としたときであって、かつ、
生化学測定項目を第３検査項目としたとき、
同一検体ラック中に前記第１検査項目と前記第２検査項目の測定依頼があった場合に、前記制御部は、
前記血液凝固検査項目のうち、まず、前記第１検査項目を前記生化学分析部で測定し、その後、前記第２検査項目を前記凝固時間分析部で測定するように、前記同一検体ラック中のすべての前記第１検査項目について前記生化学分析部で検体吸引を行った後、前記同一検体ラック中のすべての前記第２検査項目について前記凝固時間分析部で検体吸引を行うように前記検体ラックの搬送経路を決定し、前記搬送ラインを制御することを特徴とする自動分析装置。
【請求項２】
請求項１記載の自動分析装置において、
さらに、前記搬送ラインに接続され、前記検体ラックを一時的に待機させるラック待機部を備え、
同一検体ラック中に前記第１検査項目と前記第２検査項目の測定依頼があった場合に、前記制御部は、
前記生化学分析部での検体吸引を行った後、前記第２分注ラインに空きがある場合は前記第２分注ラインに当該検体ラックを搬送し、
前記第２分注ラインに空きがない場合は前記ラック待機部に当該検体ラックを搬送するように前記搬送ラインを制御し、前記第２分注ラインに空きが生じた後に当該検体ラックを前記ラック待機部から前記第２分注ラインに搬送することを特徴とする自動分析装置。
【請求項３】
請求項１記載の自動分析装置において、
さらに、前記搬送ラインに接続され、前記検体ラックを一時的に待機させるラック待機部を備え、
同一検体ラック中のすべての測定依頼項目の検体吸引が終了した後、前記制御部は、当該検体ラックを前記ラック待機部に搬送し、
同一検体ラック中の複数の前記第２検査項目のうち、最初に再検査が必要な項目が決定した時点で、当該検体ラックを前記ラック待機部から前記第２分注ラインに搬送するように前記搬送ラインを制御する第１の再検査モードを有することを特徴とする自動分析装置。
【請求項４】
請求項３記載の自動分析装置において、
当該検体ラックには、複数のサンプル容器が搭載され、
前記制御部は、当該複数のサンプル容器のうち、再検査が必要と判断した順番にサンプル容器からサンプルを分注するように前記第２分注ラインにおける当該検体ラックの位置を制御することを特徴とする自動分析装置。
【請求項５】
請求項４記載の自動分析装置において、
同一検体ラック中のすべての測定依頼項目の検体吸引が終了した後、前記制御部は、当該検体ラックを前記ラック待機部に搬送し、
同一検体ラックにおいて、前記第１、第２、第３検査項目のすべての測定依頼があった場合に、  
前記制御部は、当該検体ラックの複数の前記第２検査項目のうち、すべての検査項目の再検査要否が決定した時点で、当該検体ラックの前記第２検査項目の再検査のための検体吸引の終了時間が、前記第１および第３検査項目のすべての再検査の要否が決定するまでの時間よりも早い場合に、当該検体ラックを前記第２分注ラインに搬送するように前記搬送ラインを制御する第２の再検査モードを有することを特徴とする自動分析装置。
【請求項６】
請求項５記載の自動分析装置において、
前記第１の再検査モードと、前記第２の再検査モードを、手動で任意に選択可能であることを特徴とする自動分析装置。
【請求項７】
請求項５記載の自動分析装置において、
検査項目の依頼状況に応じて、前記第１の再検査モードと、前記第２の再検査モードを、自動で切り替えることを特徴とする自動分析装置。
【請求項８】
請求項５記載の自動分析装置において、
予め規定されている前記第２検査項目が依頼されている検体の連続数を基準値として、前記第１の再検査モードと、前記第２の再検査モードを、自動で切り替えることを特徴とする自動分析装置。
【請求項９】
請求項１記載の自動分析装置において、
さらに、情報を記憶する記憶部を備え、
サンプル中に含まれる干渉物質の量に関する参考値を算出するための基準物質を前記生化学分析部および前記凝固時間分析部にて予め測定し、前記生化学分析部での基準物質測定結果と前記凝固時間分析部での基準物質測定結果の相関曲線を求めて前記記憶部に記憶し、
前記凝固時間分析部での測定に先立ち前記生化学分析部にてサンプル中に含まれる干渉物質の量に関する参考値を算出し、当該参考値と前記相関曲線を基に、前記凝固時間分析部での測定結果を補正することを特徴とする自動分析装置。
【請求項１０】
請求項９記載の自動分析装置において、
前記凝固時間分析部は、透過光または散乱光を検出する凝固時間検出部と、当該凝固時間検出部からの信号を増幅する増幅器と、前記増幅器を制御する増幅器制御部を備え、
前記増幅器制御部は、当該凝固時間検出部で光を検出する前に、前記増幅器の零レベルをオフセットすることを特徴とする自動分析装置。
【請求項１１】
請求項１０記載の自動分析装置において、
前記凝固時間分析部は、透過光または散乱光を検出する凝固時間検出部と、当該凝固時間検出部からの信号を増幅する増幅器と、前記増幅器を制御する増幅器制御部を備え、
前記生化学分析部の測定結果と予め設定された基準レベルとの差分に基づき、前記増幅器制御部は、前記凝固時間検出部で光を検出する前に、前記増幅器の零レベルをオフセットすることを特徴とする自動分析装置。
【請求項１２】
請求項１１記載の自動分析装置において、
前記測定結果を得た検体と同一検体であって、前記測定結果を得た分析項目とは別の分析項目の測定に対し、前記測定結果の補正、又は、前記増幅器の零レベルをオフセットすることを特徴とする自動分析装置。
【請求項１３】
検体が保持された検体容器を搬送する搬送ラインと、
前記搬送ラインに沿って配置され、検体分注待ちの前記検体容器を複数待機させることができる第１分注ラインと、
前記第１分注ライン上で検体吸引を行い、試薬と検体との反応時間が予め決定されている生化学分析項目を分析する生化学分析部と、
前記搬送ラインに沿って配置され、検体分注待ちの検体容器を複数待機させることができる第２分注ラインと、
前記第２分注ライン上で検体吸引を行い、試薬と検体との反応時間が検体により異なる凝固時間項目を分析する凝固時間分析部と、
検体に対する分析依頼情報を読み取る読取部と、
前記読取部の情報から検体容器の搬送経路を決定し、前記搬送ラインを制御する制御部と、を備え、
血液凝固検査項目における、合成基質項目、ラテックス凝集項目、及び凝固時間項目のうち、試薬と検体との反応時間が項目ごとに予め決定している合成基質項目又はラテックス凝集項目を第１検査項目とし、試薬と検体との反応時間が検体により異なる凝固時間項目を第２検査項目としたときであって、かつ、
生化学測定項目を第３検査項目としたとき、
同一検体容器中に前記第１検査項目と前記第２検査項目の測定依頼があった場合に、
前記制御部は、
前記血液凝固検査項目のうち、まず、前記第１検査項目を前記生化学分析部で測定し、その後、前記第２検査項目を前記凝固時間分析部で測定するように、前記同一検体容器中のすべての前記第１検査項目について前記生化学分析部で検体吸引を行った後、前記同一検体容器中のすべての前記第２検査項目について前記凝固時間分析部で検体吸引を行うよう前記検体容器の搬送経路を決定し、前記搬送ラインを制御することを特徴とする自動分析装置。
【発明の詳細な説明】
【技術分野】
【０００１】
本発明は、血液や尿などのサンプル（以下、検体とも言う）に含まれる成分量を分析する自動分析装置であって、特に生化学検査項目と血液凝固検査項目の測定が可能な自動分析装置に関する。
【背景技術】
【０００２】
サンプルに含まれる成分量を分析する分析装置として、光源からの光を、サンプルと試薬とが混合した反応液に照射して得られる単一又は複数の波長の透過光量または散乱光量を測定して、光量と濃度の関係から成分量を算出する自動分析装置が知られている。【０００３】
特許文献１に記載の自動分析装置においては、回転と停止を繰り返す反応ディスクに、光学的に透明な反応セルが円周状に並べられ、反応ディスク回転中に、予め配置された透過光測定部により、約１０分間、一定の時間間隔で反応による光量の経時変化（反応過程データ）が測定される。反応終了後、反応容器は洗浄機構により洗浄されて、再び分析に使用される。【０００４】
反応液の反応には、基質と酵素との呈色反応を用いる比色分析と、抗原と抗体との結合による凝集反応を用いるホモジニアス免疫分析の、大きく２種類の分析分野が存在し、後者のホモジニアス免疫分析では、免疫比濁法やラテックス凝集法などの測定方法が知られている。【０００５】
免疫比濁法では、抗体を含有した試薬を用い、サンプルに含まれる測定対象物（抗原）との免疫複合体を生成させ、これらを光学的に検出し、成分量を定量する。ラテックス凝集法では、表面に抗体を感作（結合）させたラテックス粒子を含有した試薬を用い、試料中に含まれる抗原との抗原抗体反応によりラテックス粒子を凝集させ、これらを光学的に検出し、成分量を定量する。【０００６】
また、特許文献２に記載された血液の凝固能を測定する自動分析装置も存在する。血液は血管内部では流動性を保持して流れているが、一旦出血すると、血漿や血小板中に存在する凝固因子が連鎖的に活性化され、血漿中のフィブリノゲンがフィブリンに変換され析出することで止血に至る。【０００７】
このような、血液凝固能には血管外に漏れ出した血液が凝固する外因性のものと、血管内で血液が凝固する内因性のものが存在する。血液凝固能（血液凝固時間）に関する測定項目としては、外因系血液凝固反応検査のプロトロンビン時間（ＰＴ）、内因系血液凝固反応検査の活性化部分トロンボプラスチン時間（ＡＰＴＴ）と、フィブリノゲン量（Ｆｂｇ）等が存在する。【０００８】
これらの項目は、いずれも凝固反応を開始させる試薬を添加することにより析出するフィブリンを、光学的、物理的、電気的手法で検出することによっている。光学的手段を用いる方法としては、反応液に光を照射し、反応液中に析出してくるフィブリンによる散乱光や透過光の経時的な強度変化を検出することで、凝固時間を算出する方法が知られている。特許文献２に代表される血液凝固自動分析装置において、血液凝固時間項目は０．１秒間隔での測光データが必要なため反応は独立した測光ポートで行われ、反応液が凝固してしまうと洗浄による反応容器の再利用は不可能なため反応容器は使い捨てである。血液凝固・線溶検査分野には、血液凝固時間測定のほか、凝固因子測定、凝固・線溶マーカ測定も含まれる。凝固因子は主に血液凝固時間測定により分析されるが、凝固・線溶マーカは発色性合成基質を用いる合成基質法や、先述したラテックス凝集法による分析が行われる。血液凝固時間項目は従来からのＰＴ、ＡＰＴＴ、Ｆｂｇでほぼ固定されているのに対し、凝固・線溶マーカ項目は、Ｄダイマーやフィブリン／フィブリノゲン分解産物（ＦＤＰ）に加え、可溶性フィブリンモノマー複合体（ＳＦＭＣ）やプラスミン−α２プラスミンインヒビター（ＰＩＣ）など、播種性血管内凝固症候群（ＤＩＣ）等の早期診断・治療の要求から今後も増加が見込まれ、自動分析装置の処理能力向上が望まれている。血液凝固時間測定は、通常約３分で完了するため測定完了とともに反応容器の廃棄/供給することで処理能力を高く保つことができる。一方、合成基質法、ラテックス凝集法は、通常１０分反応であり、凝固時間法の項目に対し測定時間が長い場合がほとんどである。しかしながら、特許文献２の血液凝固分析装置では、凝固時間も凝固・線溶マーカも固定の測光ポートで分析しており、合成基質項目やラテックス凝集項目が測定依頼されると、装置の処理能力が極端に低下するという問題があった。血液凝固分析装置の処理能力の低下を抑制するために測定ポート数を増加させる方法が考えられるが、検出のための光源や受光素子、増幅回路等の必要数も増えるため、装置価格が上昇してしまう。
【先行技術文献】
【特許文献】
【０００９】
【特許文献１】米国特許第４４５１４３３号公報
【特許文献２】特開２０００−３２１２８６号公報
【特許文献３】特許第４５７６３９３号公報
【発明の概要】
【発明が解決しようとする課題】
【００１０】
臨床検査のための自動分析装置には、それぞれ独立した装置として運用されるスタンドアローンタイプのものや、検査室の業務合理化のために、生化学や免疫など複数の分析分野の分析部を検体ラック搬送ラインで接続し、１つの装置として運用するモジュールタイプ（特許文献３参照）のものが知られている。モジュールタイプの自動分析装置は、サンプルと試薬を混合、反応させた反応液を分析する複数の分析部を有し、その分析部にサンプルを供給する方法としては、サンプル容器を収容した検体ラックを搬送ライン経由で分析部のサンプル吸入位置に位置づける方法がある。【００１１】
生化学分析部と血液凝固分析部をモジュール化し統合することで、検体管理フローの改善、装置管理の省力化等のメリットが期待できる。しかしながら、単純に生化学分析部と血液凝固分析部を統合しただけでは、血液凝固検査項目の測定を高処理能力化できないばかりか、生化学分析部も含めた装置全体の処理能力の低下を招く可能性がある。なぜなら、血液凝固検査項目の合成基質項目／ラテックス凝集項目は生化学検査項目と同じように項目ごとに反応時間が予め決められているため（例えば１０分）、スケジューリングが容易で次々に分析部にサンプルを分注し続けることで高い処理能力を維持できるが、凝固時間測定項目はサンプルにより反応時間が異なる（例えば３〜７分）ことと、固定の測定ポートで測定する必要があるため、複数設置されている測定ポートが埋まってしまうと次のサンプル分注は測定ポートが空くまで実施できず、検体ラックが搬送ライン上に渋滞してしまう。この課題に対して、測定ポート数を増やすことや、検体ラックから分取したサンプルを分析部内で一定時間ストックする方法も考えられるが、いずれの方法も装置コストの大幅な上昇を招いてしまう。【００１２】
また、臨床検査の現場では、患者の診察待ち時間低減のために、採血から３０分以内の迅速報告への取り組みが活発化している。血液凝固検査項目の再検査に関して、凝固時間項目の再検査の要否決定が合成基質項目／ラテックス凝集項目に比べ早いにもかかわらず、従来のように検体に依頼された検査項目すべての再検査要否の決定を待ってから再検査を開始するのでは、現状以上のターンアラウンドタイムの短縮や処理能力の向上は望めない。
【課題を解決するための手段】
【００１３】
本願発明の代表的なものは以下のとおりである。  検体が保持された検体容器（サンプル容器とも言う）を収容した検体ラックを搬送する搬送ラインと、前記搬送ラインに沿って配置され、検体分注待ちの前記検体ラックを複数待機させることができる第１分注ラインと、前記第１分注ライン上で検体吸引を行い、試薬と検体との反応時間が予め決定されている生化学分析項目を分析する生化学分析部と、前記搬送ラインに沿って配置され、検体分注待ちの前記検体ラックを複数待機させることができる第２分注ラインと、前記第２分注ライン上で検体吸引を行い、試薬と検体との反応時間が検体により異なる凝固時間項目を分析する凝固時間分析部と、検体に対する分析依頼情報を読み取る読取部と、前記読取部の情報から前記検体ラックの搬送経路を決定し、前記搬送ラインを制御する制御部と、を備え、血液凝固検査項目における合成基質項目、ラテックス凝集項目、凝固時間項目のうち、合成基質項目又はラテックス凝集項目を第１検査項目、凝固時間項目を第２検査項目としたとき、同一検体ラック中に前記第１検査項目と前記第２検査項目の測定依頼があった場合に、前記制御部は、前記第１検査項目を前記生化学分析部で測定し、前記第２検査項目を前記凝固時間分析部で測定するよう前記検体ラックの搬送経路を決定し、前記搬送ラインを制御する自動分析装置である。【００１４】
さらに、凝固時間分析部のサンプル分注ラインにおいて、ラックを前後させて順不同で検体ラック上の検体容器にアクセスしサンプリングできる機能を備えており、再検査において、検体ラックに搭載されている検体に対するすべての依頼項目についての再検査要否の確定を待つことなく、合成基質項目／ラテックス凝集項目に比べ再検査要否確定が早い凝固時間項目から順不同で再検査できるため、ターンアラウンドタイムの短縮や、処理能力の向上が期待できる。【００１５】
検体ラックの搬送はベルトコンベア方式、ラックの後端部を押し出して移送する押し出しアーム方式等、ラックを移動させることができるものであればどのような方法でも適用可能である。また、再検査の要否を判断するための制御部と各分析部の分析結果をモニターし、分析結果を記憶する記憶部を備えることが好ましい。
【発明の効果】
【００１６】
本発明によれば、以下に示すような効果が期待できる。【００１７】
１）生化学分析部と凝固時間分析部を組み合わせて統合化すれば、検体管理フローの改善、装置管理の省力化等のメリットが期待できる。【００１８】
２）血液凝固検査項目のうち反応時間が項目ごとに予め決定している合成基質項目／ラテックス凝集項目を生化学分析部で測定し、サンプルごとに反応時間が異なる凝固時間項目を凝固時間分析部で測定することにより、反応時間不確定による検体ラックの待ち時間への影響の低減により、スケジュールリングの容易化や、装置全体の処理能力の向上につながる。さらに、凝固時間項目と比較して反応時間が長い合成基質項目／ラテックス凝集項目を、凝固時間分析部と比較して処理能力の高い生化学分析部で測定することにより、血液凝固検査項目測定における処理能力の大幅な向上が期待できる。【００１９】
３）凝固時間分析部で合成基質項目／ラテックス凝集項目を測定する必要が無くなるため、凝固時間分析部の測定ポート数を削減することができ、装置コストの低減が可能となる上に、血液凝固検査項目のうち合成基質項目／ラテックス凝集項目を反応容器洗浄機構を備えたターンテーブル方式の生化学分析部で測定することにより、血液凝固検査項目用の使い捨ての反応容器の消費量を低減することができるため、ライフサイクルコストの削減につながる。【００２０】
４）再検査が確定した凝固時間項目から順不同で再検査できるため、ターンアラウンドタイムの短縮や、処理能力の向上が期待できる。【００２１】
本発明の目的は、装置価格の低減やライフサイクルコストの低減を実現しつつ、生化学分析部と血液凝固分析部を統合した処理能力の高い自動分析装置を提供することである。
【図面の簡単な説明】
【００２２】
【図１】本発明の一実施の形態であるターンテーブル方式の生化学分析部と、凝固時間分析部と、を備えた自動分析装置の概略図である。
【図２】本発明の一実施の形態における、検体ラックの搬送経路を示した概略図である。
【図３】本発明の一実施の形態における、凝固時間分析部の分注ラインにおける検体ラック動作を示した概略図である。
【図４】本発明の一実施の形態における、分析動作を示したフローチャートである。
【図５】本発明の一実施の形態における、分析部のサンプル分注動作を示したフローチャートである。
【図６】本発明の一実施の形態における、ラック待機部でのラック待機動作を示したフローチャートである。
【図７】本発明の一実施の形態における、凝固時間項目の再検査が先行した場合のシステム動作を示したフローチャートである。
【図８】本発明の一実施の形態における、生化学項目の再検査が先行した場合のシステム動作を示したフローチャートである。
【図９】本発明の一実施の形態における、再検査時の凝固時間分析部でのサンプル分注動作を示したフローチャートである。
【図１０】本発明の一実施の形態における、凝固時間項目の再検査モードの選択画面を示す図である。
【図１１】本発明の一実施の形態における、凝固時間分析部の増幅器を明示した自動分析装置の概略図である。
【図１２】本発明の一実施の形態における、増幅器の零レベルのオフセット機能を説明する図である。
【発明を実施するための形態】
【００２３】
以下、本発明の実施の形態を図面に基づいて詳細に説明する。なお、本実施の形態を説明するための全図において同一機能を有するものは原則として同一の符号を付すようにし、その繰り返しの説明は可能な限り省略するようにしている。
【００２４】
以下、本明細書では、血液凝固検査項目における合成基質項目又はラテックス項目を第１検査項目、凝固時間項目を第２検査項目と言う場合がある。また、生化学測定項目を第３検査項目と言う場合がある。第１検査項目の例として、Ｄダイマー、ＦＤＰ、ＳＦＭＣ、ＰＩＣ等が挙げられる。第２検査項目の例として、ＰＴ、ＡＰＴＴ、Ｆｂｇ等が挙げられる。第３検査項目の例として、ＡＬＴ、ＡＳＴ等が挙げられる。
【００２５】
図１は本発明の一実施の形態であるターンテーブル方式の生化学分析部と、凝固時間分析部とを備えた自動分析装置の概略図である。分析の対象となる血液や尿などのサンプルが入った検体容器を搭載した検体ラック１０１を搬送する搬送系の構成要素の一例として、ラック供給部１０２と、ラック収納部１０３と、検体ラック１０１を分析部に搬送する搬送ライン１０４と、帰還ライン１０５と、ラック待機部１０６と、待機部ハンドリング機構１０７と、ラック戻し機構１０８と、ラック振分機構１０９と、緊急検体ラック投入部１１０と、読取部（搬送ライン）１１１を示している。
【００２６】
搬送ライン１０４に沿って配置される生化学分析部１１２の搬送系は、搬送ライン１０４から検体ラック１０１に収容されているサンプルに対する分析依頼情報を照合するための読取部（生化学）１１６と、搬送ライン１０４から検体ラック１０１を受け取るラック搬入機構（生化学）１１４と、分注開始まで検体ラック１０１を待機させる役割を持ち検体ラック１０１の検体容器内のサンプル分注を行う分注ライン（生化学）１１３と、サンプル分注後の検体ラック１０１を搬送ライン１０４または帰還ライン１０５に搬送するラックハンドリング機構（生化学）１１５を備える。
【００２７】
搬送ライン１０４に沿って配置される凝固時間分析部１１７の搬送系は、搬送ライン１０４から検体ラック１０１に収容されているサンプルに対する分析依頼情報を照合するための読取部（凝固）１２１と、搬送ライン１０４から検体ラック１０１を受け取るラック搬入機構（凝固）１１９と、分注開始まで検体ラック１０１を待機させる役割を持ち検体ラック１０１の検体容器内のサンプル分注を行う分注ライン（凝固）１１８と、サンプル分注後の検体ラック１０１を帰還ライン１０５に搬送するラックハンドリング機構（凝固）１２０を備える。前記分注ライン（凝固）１１８は、検体ラック１０１を検体ラック１０１の進行方向に対して前後に移動可能な検体ラック搬送機構を備える。分析部の配置は、検体ラック１０１の渋滞を抑制するために、一般的に検体処理能力の高い生化学分析部１１２を凝固時間分析部１１７の上流側に配置することが望ましい。また、本実施例の自動分析装置は、制御部１２２と、記憶部１２３と、表示部１２４と、入力部１２５を備える。
【００２８】
生化学分析部１１２は、公知の構成から成り、主に、検体ラック１０１から検体を吸引する検体プローブと、吸引した検体を吐出する反応セル、反応セル内で検体と混合させる試薬を保持する試薬保管庫と、当該試薬を反応セルに吐出する試薬分注機構と、反応セル内の検体と試薬の混合液に光を照射して、透過光又は散乱光を測定する検出器とその光源からなる光学系と、当該検出器から得られるデータから当該混合液に含まれる所定の成分濃度を算出する演算部とを備える。生化学分析部１１２は、少なくとも第３検査項目の分析ができる。
【００２９】
また、凝固時間分析部１１７は、公知の構成から成り、主に、検体ラック１０１から検体を吸引する検体プローブと、吸引した検体を吐出する反応容器、反応容器内で検体と混合させる試薬を保持する試薬保管庫と、当該試薬を反応容器に吐出する試薬分注機構と、反応セル内の検体と試薬の混合液に光を照射して、散乱光又は透過光を測定する検出器とその光源からなる光学系と、当該検出器から得られるデータから当該検体の凝固時間を算出する演算部とを備える。凝固時間分析部１１７は、少なくとも第２検査項目の分析ができる。
【００３０】
図２は検体ラック１０１の搬送経路を示した概略図である。図２および、分析動作のフローチャートを示した図４、サンプル分注動作のフローチャートを示した図５、およびラック待機部１０６でのラック待機動作のフローチャートを示した図６を用いて、分析時の検体ラック１０１の搬送経路を説明する。
入力部１２５により分析が依頼されると分析が開始し（図４ａ）、制御部１２２は、ラック供給部１０２に並べられた検体ラック１０１を搬送ライン１０４に移動する（図４ｂ）。その後、検体ラック１０１及び検体ラック１０１に収容されるサンプル容器に貼り付けられたバーコードラベル等の識別媒体を読取部（搬送ライン）１１１により読み取ることで、検体ラック番号及びサンプル容器番号が認識される。読取部（搬送ライン）１１１によって認識された検体ラック番号及びサンプル容器番号は、制御部１２２に伝達され、制御部１２２は、検体ラック１０１の種別、各サンプル容器に対し指示されている分析項目の種類等が、検体受付番号と対応させて入力部１２５から予め指示されている測定依頼情報と照合する（図４ｃ）。その照合結果に基づいて検体ラック１０１の送り先が制御部１２２によって決定され、記憶部１２３に記憶されてその後の検体ラック１０１の処理に利用される。
【００３１】
生化学分析部１１２は、円周上に並べて配置された各反応容器内で各種の分析項目に応じたサンプルと試薬の反応を進める反応ディスクと、各種の分析項目に応じた試薬を試薬吸入位置に位置づけるように動作する試薬ディスクと、分注ライン（生化学）１１３から反応ディスク上の反応容器へサンプル容器内のサンプルを分注するサンプル分注機構と、試薬ディスク上の試薬ボトルから反応ディスク上の反応容器へ分析項目に応じた試薬を分注する試薬分注機構を具備する。
【００３２】
制御部１２２は、生化学、合成基質、ラテックス凝集項目のいずれかの項目の測定依頼があるかを確認する（図４ｄ）。生化学分析部１１２による分析が依頼されているサンプルが存在する場合、制御部１２２は、分注ライン（生化学）１１３に空きがあるか確認し（図４ｅ）、空きが有れば検体ラック１０１を生化学分析部１１２へと搬送し、サンプル分注を開始する（図４ｇ）。一方、分注ライン（生化学）１１３に空きが無い場合、制御部１２２は、待機部ハンドリング機構を制御し、検体ラック１０１をラック待機部１０６に移動させ、その場で検体ラック１０１を待機させる（図４ｆ）。
【００３３】
次に、ラック待機（図４ｆ）について図６を用いて説明する。制御部１２２が検体ラック１０１をラック待機部１０６に移動させた後（図６ａ〜ｃ）、制御部１２２は、随時、分析部の分注ラインに空きがあるかを確認する（図６ｄ）。空きが無い場合には、検体ラック１０１をラック待機部１０６で待機させる。空きが有る場合には、制御部１２２は、検体ラック１０１をラック待機部１０６から搬送ラインへ移動させる（図６ｅ）。つまり、検体ラック１０１は、ラック分注ライン（生化学）１１３に空きが生ずるまで待機する。
【００３４】
次に、サンプル分注（図４ｇ）について図５を用いて説明する。生化学分析部１１２へと搬送された検体ラック１０１は、読取部（生化学）１１６により検体ラック情報が照合され（図５ｂ）、分析情報が照合される。制御部１２２は、ラック搬入機構（生化学）１１４を制御し、搬送ライン１０４上から分注ライン（生化学）１１３に移動する（図５ｄ）。制御部１２２は、分注位置まで検体ラック１０１を搬送し、その位置で分析が指示されているサンプル容器内に検体分注機構の分注ノズルを挿入し、サンプルを吸引し、生化学分析部１１２に備えられた反応容器への分注を行うように制御する（図５ｅ）。同じサンプル容器について２項目以上の検査が指示されている場合、及び、同じ検体ラック１０１上の他のサンプル容器に対し検査項目が指示されている場合は、引き続いてサンプル採取動作が繰り返される。生化学分析部１１２について指示されている総ての分析項目に関するサンプルの採取が終了した検体ラック１０１を、制御部１２２は、ラックハンドリング機構（生化学）１１５の対応位置まで分注位置から移動させる。その後、制御部１２２は、検体ラック１０１を分注ラインから搬送ライン１０４に移動させる（図５ｆ）。若しくは、制御部１２２は、後述のように検体ラック１０１を分注ラインから帰還ライン１０５に移動させる。
【００３５】
次に、制御部１２２は、検体ラック１０１に搭載されているサンプルの中に凝固時間分析部による凝固時間項目の依頼があるかを確認する（図４ｈ）。凝固時間分析部１１７による分析が依頼されているサンプルが存在する場合、制御部１２２は、凝固時間分析部１１７の分注ライン（凝固）に空きがあるかを確認する（図４ｉ）。空きが有れば検体ラック１０１は凝固時間分析部１１７へと搬送されサンプル分注が開始される（図４ｋ）。図５と同様の制御のため詳細は省略する。一方、分注ライン（凝固）１１８に空きが無い場合（図４ｊ）、ラックハンドリング機構（生化学）１１５により帰還ライン１０５に移載され、ラック振分機構１０９を経由して待機部ハンドリング機構によりラック待機部１０６に移動され、分注ライン（凝固）１１８に空きが生ずるまで待機する。図６と同様の制御のため詳細は省略する。
【００３６】
凝固時間分析部１１７について指示されている総ての分析項目に関するサンプルの採取が終了した検体ラック１０１は、ラックハンドリング機構（凝固）１２０の対応位置まで移動され、ラックハンドリング機構（凝固）１２０によって帰還ライン１０５に移送される（図４ｌ）。制御部１２２は、帰還ライン１０５によりラック振分機構１０９まで検体ラック１０１を搬送する（図４ｍ）。
【００３７】
凝固時間分析部１１７による分析が依頼されていない場合、検体ラック１０１は、ラックハンドリング機構１１８によって帰還ライン１０５上へ移載後、ラック振分機構１０９まで搬送される（図４ｍ）。
【００３８】
サンプルの採取が終了し、ラック振分機構１０９まで搬送された検体ラック１０１の検体ラック番号は記憶部１２３に記憶されている為、コントロール検体用ラック、標準試料用ラック、及び洗浄液用ラック等の再検査が不要な検体ラック１０１か、再検査の可能性のある検体ラック１０１かは制御部１２２により既に判断されている。検体ラック１０１はその判断に基づいて、再検査が不要で有れば、制御部１２２の制御信号を受けたラック振分機構１０９によりラック戻し機構１０８に移送され、ラック戻し機構１０８によりラック収納部１０３へ収納される。検体ラック１０１に再検査の可能性が有れば、待機部ハンドリング機構１０７に受け渡されラック待機部１０６へ運ばれ、再検査の要否が決定するまで待機する（図４ｎ）。
【００３９】
一方、各々の分析部の反応容器に採取されたサンプルは、試薬分注機構によって分注された試薬と反応され、測定された各分析項目に対応するデータが制御部１２２へ出力される。制御部１２２は、予め設定されている判定規準と分析検査データを照合し、測定データが不適性な場合は、再検査が必要な検体であることを検体ラック番号及びサンプル容器番号と対応させて記憶部１２３に記憶され、再検査が実施される（図４ｏ）。測定データが不適性な場合とは、例えば、測定データが予め設定されている判定規準を上回る、若しくは、下回る場合とがある。再検査が終了した検体ラック１０１は、待機部ハンドリング機構１０７にてラック待機部１０６から帰還ライン１０５に移送され（図４ｐ）、帰還ライン１０５にてラック戻し機構１０８まで搬送され、ラック戻し機構１０８によりラック収納部１０３へ収納される（図４ｑ）。第１回目の分析検査データ及び再検査の分析検査データは、制御部１２２によりマージされ（図４ｒ）、表示部１２４に表示され（図４ｓ）、分析終了となる（図４ｔ）。
【００４０】
図３は、本発明の一実施の形態における、凝固時間分析部１１７の分注ライン（凝固）１２１における検体ラック１０１の動作を示した概略図である。分注ライン（凝固）１１８は、検体ラック１０１を進行方向に対して前後に移動可能な検体ラック搬送機構を備えており、サンプリング機構は、順不同で検体ラック１０１上の検体にアクセスすることができる。そのため、検体によって反応時間が異なる凝固時間項目において、順不同で再検査を実施することができる。例えば、検体ラック１０１の進行方向に対して前から検体容器Ａ、Ｂ、Ｃ、Ｄ、Ｅと並んでいるとすると、これまでの自動分析装置においては、検体容器Ａ、Ｂ、Ｃ、Ｄ、Ｅの順番にアクセスしていたが、順不同とはこの順番に限らず、検体容器Ｃ、Ｂ、Ａ、Ｅ、Ｄの順番などのあらゆる順番でもサンプリング機構はアクセスすることができることを意味する。つまり、図３の矢印で示すように、検体ラック１０１を進行方向とは後ろに移動させることができるようになっている。例えば、制御部１２２は、分注ライン（凝固）１１８を逆方向に動かすことで、検体ラック１０１は進行方向とは逆の後ろに移動させることができ、検体容器Ｃ、ＢやＥ、Ｄの順番でサンプリング機構はアクセスすることができる。
【００４１】
以下、再検査が行われる場合の本発明の制御について説明する。以下の説明では、１つの検体ラック１０１に搭載された検体容器に対して、生化学分析部１１２と凝固時間分析部１１７の両方での測定依頼があるものとし、両方で測定された測定データが再検査の対象となる場合について説明する。この場合には、凝固時間項目の再検査が先行する場合と、生化学項目の再検査が先行する場合の両方が考えられ制御方法が異なるので場合を分けて説明する。なお、以下の制御は、同じ検体容器に対して生化学分析部１１２と凝固時間分析部１１７の両方の項目を測定することに限られるものではなく、先の例で言えば、検体容器Ａは生化学項目の検査のみ、検体容器Ｂは凝固時間項目の検査のみの場合も含まれる。
【００４２】
まず、凝固時間項目の再検査が先行した場合の、再検査時のシステム動作について、図７および、図９を用いて説明する。生化学分析部１１２に先立ち、凝固時間分析部１１７の測定結果に基づき、制御部１２２により再検査が必要と判断された項目が検体ラック１０１のサンプルに存在する場合、制御部１２２は、分注ライン（凝固）１１８に空きがあるかを確認する（図７ｂ）。空きが有れば検体ラック１０１は凝固時間分析部１１７へと搬送されサンプル分注が開始される（図７ｄ）。分注ライン（凝固）１１８に空きが無い場合、そのままラック待機部１０６にて、分注ライン（凝固）１１８に空きが生ずるまで待機する（図７ｃ）。
【００４３】
ここで図９を用いて凝固時間項目の再検査のサンプル分注（図７（ｄ））について詳しく説明する。まず制御部１２２は、凝固時間分析部１１７へ再検査サンプルを含む再検査ラック１０１を移動する（図９ｃ）。ここで、制御部１２２は、同一検体ラック１１２中で凝固時間項目において最初に再検査が必要な項目を決定した時点で、検体ラックを待機部１０６から分注ライン（凝固）１１８に搬送するよう搬送ラインを制御することが望ましい。例えば、検体ラック中のサンプル容器について、ＰＴ、ＡＰＴＴ、Ｆｂｇの凝固時間を測定した場合に、これらの項目のうちＰＴが最初に再検査が必要な項目と決定された場合には、ＡＰＴＴ、Ｆｂｇの凝固時間の測定結果が終わっていなくても、検体ラックの搬送を開始する。これにより、凝固時間の再検査までの時間を短縮することができる。
【００４４】
制御部１２２は、読取部（凝固）１２１を用いて、移動してきた検体ラック１０１等に貼り付けられたバーコードラベル等の識別媒体を読み取る。読み取った情報に基づき、制御部１２２は、移動してきた検体ラック１０１が再検査の対象となる検体容器を含んでいるかを確認するために、再検査検体ラック情報の照合を行う（図９ｃ）。照合により正しい検体ラックと認識された検体ラック１０１を、制御部１２２は、ラック搬入機構（凝固）１１９により搬送ライン１０４上から分注ライン（凝固）１１８に移載する（図９ｄ）。再検査が指示されているサンプル容器が検体分注機構のサンプリングポジションに位置づけられるように、制御部１２２は、検体ラック１０１を分注ライン（凝固）１２１の検体ラック搬送機構により移動する（図９ｅ）。そして、サンプル分注が実施される（図９ｆ）。
【００４５】
制御部１２２は、同じ検体ラック１０１の他のサンプル容器に凝固時間項目の再検査依頼があるかを確認する（図９ｇ）。他の再検査依頼がある場合は、引き続いて該当するサンプル容器が検体分注機構のサンプリングポジションに位置づけられるように検体ラック１０１が移動され、サンプル採取動作が繰り返される。例えば、引き続き該当するサンプル容器が、検体ラック１０１の進行方向に対して下流側にあれば、検体ラック１０１を進行方向に対して後ろ側へ移動させて、当該サンプル容器のサンプル採取動作が行われる。一方、引き続き該当するサンプル容器が、検体ラック１０１の進行方向に対して上流側にあれば、通常の検体ラックの移動と同様に、検体ラック１０１を進行方向に対して前側へ移動させる当該サンプル容器のサンプル採取動作が行われる。なお、検体ラック搬送機構は、分注ラインそのものでもよいし、分注ラインとは別の機構であっても構わない。
【００４６】
つまり、制御部１２２は、再検査が必要と判断した順番に検体容器からサンプルを分注するよう分注ライン（凝固）における検体ラックの位置を制御する。例えば、先の例で検体容器Ａ、Ｂ、Ｃが夫々凝固時間項目ＰＴを測定する場合に、検体容器Ｂ、Ａ、Ｃの順番で再検査が必要と判断した場合には、検体容器Ｂ、Ａ、Ｃの順番でサンプルを分注する。
これにより、処理能力の高い再検査を行うことができる。
【００４７】
一方、他の再検査依頼がない場合、当該検体ラック１０１におけるすべての凝固時間項目の再検査要否が決定するまで、検体ラック１０１は分注ライン（凝固）１１８にて待機するように制御される（図９ｈ）。他の再検査依頼がない場合であっても、凝固時間項目の測定結果が得られるタイミングは異なることから、事後的に当該検体ラック１０１に含まれるサンプル容器に対して再検査依頼が発生する場合があり、このような再検査依頼に対してサンプル分注を迅速に行えるようにするためである。
【００４８】
定期的に制御部１２２は、当該検体ラック１０１のサンプル容器に対して、凝固時間項目の再検査要否がすべて決定したかどうかを確認する。確認の結果、すべて決定していない場合には、図９ｇの確認を行い、決定した場合には次のフローへ進む。再検査が必要かどうかは、検体ラック１０１に含まれる凝固時間項目の測定結果が得られなければ判別することができないため、検体ラック１０１が次のフォローへ進める場合には、凝固時間項目のすべての測定結果が得られるまで分注ラインで待機した検体ラック１０１に限られる。
【００４９】
制御部１２２は、すべての凝固時間項目の再検査に関するサンプルの採取が終了した検体ラック１０１を、ラックハンドリング機構（凝固）１２０の対応位置まで移動する（図９ｊ）。制御部１２２は、ラックハンドリング機構（凝固）１２０によって当該検体ラック１０１を帰還ライン１０５に移送する（図９ｋ）。制御部１２２は、当該検体ラック１０１を帰還ライン１０５によりラック振分機構１０９まで搬送する（図７ｅ）。
【００５０】
検体ラック１０１に生化学項目の再検査の可能性が有れば、制御部１２２は、待機部ハンドリング機構１０７に検体ラック１０１を受け渡し、ラック待機部１０６へ運ぶ（図７ｆ）。制御部１２２は、生化学項目の再検査要否がすべて決定したかどうかを確認する。すべての生化学項目の再検査の要否が決定していないと確認された場合には、ラック待機部１０６で待機する（図７ｈ）。すべての生化学項目の再検査の要否が決定した場合、制御部１２２は、生化学項目の再検査依頼があるかを確認する（図７ｉ）。つまり、制御部１２２は、予め設定されている判定規準と分析検査データを照合した結果、測定データが不適性な場合は、再検査が必要な検体であることを検体ラック番号及びサンプル容器番号と対応させて記憶部１２３に記憶する。確認した結果、再検査が必要な検体が存在する検体ラック１０１は（図７ｉ）、図５に示すフローでサンプル分注が実施される（図７ｊ）。なお、生化学分析部１１２で行われる分析は、概ね測定時間が１０分と固定されているため、サンプル分注された順番に測定データを得ることができる。このため、先に述べたような凝固時間分析部で行ったような順不同のサンプル分注は必要ない。
【００５１】
再検査が不要と判定された検体ラック１０１は、待機部ハンドリング機構１０７にてラック待機部１０６から帰還ライン１０５に移送され、帰還ライン１０５にてラック戻し機構１０８まで搬送され、ラック戻し機構１０８によりラック収納部１０３へ収納される。第１回目の分析検査データ及び再検査の分析検査データは、制御部１２３によりマージされ、表示部１２４に表示され分析終了となる。
【００５２】
本実施例においては、凝固時間項目に関するすべての再検査要否が決定する前に、順不同で凝固時間分析部におけるサンプリングをすることでターンアラウンドタイムの短縮を図っている。このような再検査モードを本明細書では、凝固リアルタイム再検モードと記載する。凝固リアルタイム再検モードは、凝固時間項目（第２検査項目）の測定依頼が、生化学測定項目（第３検査項目）や合成基質／ラテックス凝集項目（第１検査項目）と比較して、まばらで間欠的である場合（例えば、検体ラック1個ずつ間欠の場合）に有効な再検査方法である。また、凝固時間項目に関するすべての再検査要否が決定してから再検査をすることでスケジューリングを容易にする実施例も考えられる。
【００５３】
上記では、凝固時間項目において最初に再検査が必要な項目を決定した時点で、制御部は、検体ラックを分注ライン（凝固）に搬送する例を説明したが、別の実施形態としては、同一検体ラックのすべての凝固時間項目の再検要否を待ってから、再検査を行う形態も考えられる。例えば、同一検体ラックの凝固時間項目（第２検査項目）のすべての検査項目の再検査要否が決定した時点で、当該検体ラックの凝固時間項目の再検査のための検体吸引の終了時間が、合成基質項目又はラテックス凝集項目（第１検査項目）および生化学測定項目（第３検査項目）のすべての再検査の要否が決定するまでの時間よりも早い場合に、当該検査ラックを分注ライン（凝固）に搬送するよう搬送ラインを制御することもできる。このような再検査モードを本明細書では、凝固バッチ再検モードと記載する。この場合でも、生化学分析部、凝固時間分析部の順番で検体を吸引するよりも、再検査を迅速に行うことができる。凝固バッチ再検モードは、凝固時間項目（第２検査項目）がある程度まとまった単位で測定依頼される場合（例えば検体ラック数個連続）に有効な再検査方法である。
【００５４】
また、検査項目の測定依頼状況により、凝固リアルタイム再検モードと凝固バッチ再検モードを、制御部１２２が自動で切り替える実施形態も考えられる。例えば、凝固時間項目（第２検査項目）が依頼されている検体の連続数を再検査モード切り替えの基準値として予め設定し、記憶部１２３に記憶されている測定項目の依頼状況から、制御部１２２が再検査モードを自動で切り替えることが可能である。このように、凝固リアルタイム再検モードと凝固バッチ再検モードを自動で切り替える再検査モードを、本明細書では凝固オート再検モードと記載する。
【００５５】
図１０に、本発明の一実施の形態における、凝固時間項目の再検査モードの選択画面を示す。操作者は、自動分析装置の運用状況に応じて、表示部１２４の凝固時間項目の再検査条件設定画面より、凝固リアルタイム再検モードと、凝固バッチ再検モードと、凝固オート再検モードを任意に選択可能となっている。また、凝固オート再検モードにおいては、再検査モードの切り替えの基準値である凝固時間項目（第２検査項目）が依頼されている検体の連続数も、任意に設定可能となっている。
【００５６】
次に、生化学項目の再検査が先行した場合の、再検査時のシステム動作について、図８を用いて説明する。ラック待機部１０６にて再検査待ちの検体ラック１０１に関して、凝固時間項目の再検査要否決定に先立ち、制御部１２２は、すべての生化学項目の再検査の要否が決定したかを確認する（図８ｂ）。決定していなければ、制御部１２２は、検体ラック１０１をラック待機部１０６で待機させる（図８ｃ）。制御部１２２は、当該検体ラック１０１の中で、生化学項目の再検査依頼があるかどうかを確認する（図８ｄ）。再検査が必要な生化学項目が有る場合、制御部１２２は、分注ライン（生化学）１１３に空きがあるかを確認する（図８ｅ）。空きが有れば、制御部１２２は、検体ラック１０１を生化学分析部１１２へと搬送し、サンプル分注を開始する（図８ｇ）。分注ライン（生化学）１１３に空きが無い場合、図６のフローに従い分注ライン（生化学）１１３に空きができるまでラック待機部１０６で待機する（図８ｆ）。
【００５７】
凝固時間項目に関して再検査が決定した場合、制御部１２２は、分注ライン（凝固）１１８に空きがあるかを確認する（図８ｈ）。空きが有れば、制御部１２２は、検体ラック１０１を凝固時間分析部１１７へと搬送し、サンプル分注を開始する（図８ｊ）。分注ライン（凝固）１１８に空きが無い場合、図６のフローに従い分注ライン（凝固）１１８に空きができるまでラック待機部１０６で待機する（図８ｉ）。一方、分注ライン（凝固）１１８に空きがある場合、図９のフローに従い凝固時間再検査のサンプル分注を行う。
【００５８】
ここで、血清や血漿などのサンプルを分注する際、乳び、溶血、黄疸などの干渉物質が測定値に影響を与えることが知られており、影響度合いの算出や、影響を補正する技術が求められている。
【００５９】
本発明の自動分析装置においては、生化学分析部１１２に搭載されている光度計により、透過光または散乱光を測定し、サンプル中に含まれる干渉物質の量に関する参考値を算出することが可能である。
【００６０】
例えば、サンプルと希釈液の混合液の吸光度を光度計によって測定する場合、乳び、溶血、黄疸の程度を、４８０ｎｍ、５０５ｎｍ、５７０ｎｍ、６００ｎｍ、６６０ｎｍ、７００ｎｍの吸光度を用いて、下記の式によって算出する。
乳び（Ｌ）＝（１／Ｃ）×（６６０ｎｍと７００ｎｍの吸光度差）
溶血（Ｈ）＝（１／Ａ）×（５７０ｎｍと６００ｎｍの吸光度差
−Ｂ×６６０ｎｍと７００ｎｍの吸光度差）
黄疸（Ｉ）＝（１／Ｄ）×（４８０ｎｍと５０５ｎｍの吸光度差
−Ｅ×５７０ｎｍと６００ｎｍの吸光度差
−Ｆ×６６０ｎｍと７００ｎｍの吸光度差）
Ｃ、Ａ、Ｄ：吸光度を血清情報として出力するための係数
Ｂ、Ｅ、Ｆ：吸収スペクトルの重なりを補正するための係数
さらに、干渉物質の量に関する参考値をもとに、凝固時間分析部１１７での測定結果を補正することもできる。
【００６１】
例えば、サンプル中に含まれる干渉物質の量に関する参考値を算出するための基準物質を設定し、生化学分析部１１２および凝固時間分析部１１７にて予め測定し、生化学分析部１１２での基準物質測定結果と凝固時間分析部１１７での基準物質測定結果の相関曲線を求めて記憶部１２３に記憶する。凝固時間分析部１１７での測定に先立ち生化学分析部１１２にてサンプル中に含まれる干渉物質の量に関する参考値を算出し、記憶部１２３に記憶された前記相関曲線と当該参考値を基に、凝固時間分析部１１７での測定結果を補正することができる。
【００６２】
また、この参考値を用いた増幅器のオフセット制御を行うこともできる。図１１は、本発明の一実施の形態における、凝固時間分析部１１７の増幅器１２６を明示した自動分析装置の概略図である。凝固時間分析部１１７には、測定ポートにおいて透過光または散乱光を検出する検出器と、この検出器からの信号を増幅する増幅器１２６が接続されている。制御部１２２は干渉物質の量に関する参考値を取得し、この参考値に基づき制御部１２２は、検出器で光を検出する前に、増幅器１２６の零レベルをオフセットすることができる。
【００６３】
図１２に、生化学分析部１１２の光度計の測定結果（上段）と凝固時間分析部１１７の検出器の測定結果（下段）を示す。例えば、生化学分析部１１２の光度計による透過光または散乱光の測定結果（干渉物質の量に関する参考値）と予め設定された基準レベルとの差分に基づき、凝固時間分析部１１７の検出器の信号を増幅する増幅器１２６の零レベルをオフセットするように制御部１２２が制御する。このように生化学分析部１１２の測定結果に基づき零レベルをオフセットして、当該オフセットした増幅器１２６を用いて、凝固時間分析部１１７で同一サンプルを測定することで、測定不能となるレンジオーバーを抑制した、適切な増幅率での測定が可能となる。これにより、測定不能となる頻度が低減し、サンプルや試薬の無駄の少ない分析が可能となる。
【００６４】
また、これらの補正や前記の零レベルのオフセットは、同一サンプルを用いたその他の分析項目にも適用可能である。同一サンプルであれば１回の参考値の測定で、他の分析項目に対してもフィードバック可能であるためである。
【００６５】
本実施例のような構成とすることにより、装置価格の低減やライフサイクルコストの低減を実現しつつ、生化学分析部と血液凝固分析部を統合した処理能力の高い自動分析装置を提供できる。
【００６６】
本発明によれば、同一検体ラック中に第１検査項目と第２検査項目の測定依頼があった場合に、制御部は、第１検査項目を生化学分析部で測定し、第２検査項目を凝固時間分析部で測定するよう検体ラックの搬送経路を決定し、搬送ラインを制御することで、処理能力の高い自動分析装置を提供することができる。
【００６７】
また、同一検体ラック中に第１検査項目と第２検査項目の測定依頼があった場合に、制御部は、生化学分析部での検体吸引を行った後、凝固時間分析部での検体吸引を行うよう検体ラックの搬送経路を決定し、搬送ラインを制御することで、処理能力の高い自動分析装置を提供することができる。しかしながら、分析部の配置に関しては、凝固時間分析部が生化学分析部の下流側に配置される必然性はなく、凝固分析部が生化学分析部の上流側に配置される構成も可能である。
【００６８】
また、同一検体ラック中に第１検査項目と第２検査項目の測定依頼があった場合に、制御部は、生化学分析部での検体吸引を行った後、第２分注ラインに空きがある場合は分注ライン（凝固）に当該検体ラックを搬送し、分注ライン（凝固）に空きがない場合はラック待機部に当該検体ラックを搬送するよう搬送ラインを制御し、分注ライン（凝固）に空きが生じた後に当該検体ラックをラック待機部から分注ライン（凝固）に搬送することで、処理能力の高い自動分析装置を提供することができる。
【００６９】
また、当該検体ラックには、複数のサンプル容器が搭載され、制御部は、当該複数のサンプル容器のうち、第２検査項目においては再検査が必要と判断した順番にサンプル容器からサンプルを分注するよう分注ライン（凝固）における当該検体ラックの位置を制御することで、処理能力の高い自動分析装置を提供することができる。
【００７０】
また、同一検体ラックにおいて、前記第１、第２、第３検査項目のすべての測定依頼があった場合に、制御部は、当該検体ラックの第２検査項目のすべての検査項目の再検査要否が決定した時点で、当該検体ラックの第２検査項目の再検査のための検体吸引の終了時間が、第１および第３検査項目のすべての再検査の要否が決定するまでの時間よりも早い場合に、当該検体ラックを第２分注ラインに搬送するよう前記搬送ラインを制御することで、処理能力の高い自動分析装置を提供することができる。
【００７１】
また、当該検体ラックは、上述の複数のサンプル容器が搭載させる構成以外に、単一のサンプル容器のみが搭載されるように構成することもできる。
【符号の説明】
【００７２】
１０１  検体ラック
１０２  ラック供給部
１０３  ラック収納部
１０４  搬送ライン
１０５  帰還ライン
１０６  ラック待機部
１０７  待機部ハンドリング機構
１０８  ラック戻し機構
１０９  ラック振分機構
１１０  緊急検体ラック投入部
１１１  読取部（搬送ライン）
１１２  生化学分析部
１１３  分注ライン（生化学）
１１４  ラック搬入機構（生化学）
１１５  ラックハンドリング機構（生化学）
１１６  読取部（生化学）
１１７  凝固時間分析部
１１８  分注ライン（凝固）
１１９  ラック搬入機構（凝固）
１２０  ラックハンドリング機構（凝固）
１２１  読取部（凝固）
１２２  制御部
１２３  記憶部
１２４  表示部
１２５  入力部
１２６  増幅器
【図１】
0006576833.tif 000002
【図２】
0006576833.tif 000003
【図３】
0006576833.tif 000004
【図４】
0006576833.tif 000005
【図５】
0006576833.tif 000006
【図６】
0006576833.tif 000007
【図７】
0006576833.tif 000008
【図８】
0006576833.tif 000009
【図９】
0006576833.tif 000010
【図１０】
0006576833.tif 000011
【図１１】
0006576833.tif 000012
【図１２】
0006576833.tif 000013